(57)【要約】【課題】  曜日などを表示する曜針を有し、モード切替により所定のモードを呼び出すアナログ多機能時計の場合、必要な時刻情報だけ指針が必要となり、表示および修正が煩雑となると共に、モードを切り替えないと必要情報が得られない問題点があった。【解決手段】  曜日表示領域をレトログラード調の扇形表示とし、その剰余スペースに経年表示領域、アラームセット状態確認領域を配設し、曜針７でこれらの情報を表示する仕様とした。そして、現在時刻表示モードでの外部操作により曜針７の表示内容を任意に変更可能な仕様とした。これにより、限られた表示領域内で最大限の情報表示を可能とすると共に、モードを切り替えて所定のモードを呼び出さなくても現在時刻表示モード上にて上記情報を確認可能とし、操作仕様を簡単にする事が可能となった。【選択図】      図１
2005315669.tif 000002
【特許請求の範囲】
【請求項１】
時及び分を表示する時針及び分針と、時分秒以外の複数の情報を切り替えて表示する機能指針とを有し、前記時針及び分針により現在時刻を表示する時刻表示モードと、該時刻表示モードとは異なる動作をするとともに、前記複数の情報のうちの少なくとも一つの情報を表示する他のモードとに切り替え可能な多機能時計において、前記時刻表示モードにおいて、前記機能指針で表示する情報を切り替えることによって、前記他のモードで表示される情報を表示するようにしたことを特徴とする多機能時計。
【請求項２】
前記時刻表示モードにおける前記機能指針で表示する情報の切り替えは、前記時針及び分針による時刻表示の運針を維持したまま行うことを特徴とする請求項１に記載の多機能時計。
【請求項３】
前記複数の情報には周期の異なる複数の時刻情報が含まれており、前記機能指針で表示する情報を切り替えないときには周期の短い時刻情報を表示し、前記機能指針で表示する情報を切り替えることにより周期の長い時刻情報を表示するようにしたことを特徴とする請求項１または２のいずれかに記載の多機能時計。
【請求項４】
前記複数の情報には周期の異なる複数の時刻情報が含まれており、前記機能指針で表示する情報を切り替えないときには周期の長い時刻情報を表示し、前記機能指針で表示する情報を切り替えることにより周期の短い時刻情報を表示するようにしたことを特徴とする請求項１または２のいずれかに記載の多機能時計。
【請求項５】
前記多機能時計は、前記機能指針で表示する情報を切り替える操作ボタンを有し、該操作ボタンによって切り替えられる情報は、第１の情報と第２の情報との２つの情報であり、前記操作ボタンを押すことによって前記第１の情報から前記第２の情報に切り替わるとともに、前記操作ボタンを押し続けている間は前記第２の情報が表示され、前記操作ボタンを離すことによって、前記第２の情報から前記第１の情報に切り替わることを特徴とする請求項１〜４のいずれか１項に記載の多機能時計。
【請求項６】
前記多機能時計は、前記機能指針で表示する情報を切り替える操作ボタンを有し、該操作ボタンによって切り替えられる情報は、第１の情報と第２の情報との２つの情報であり、前記操作ボタンを押す度に前記第１の情報と前記第２の情報とが交互に切り替わることを特徴とする請求項１〜４のいずれか１項に記載の多機能時計。
【請求項７】
前記多機能時計は、前記機能指針で表示する情報を切り替える操作ボタンを有し、該操作ボタンによって切り替えられる情報は、第１の情報と第２の情報との２つの情報であり、前記操作ボタンを押した後の所定の時間だけ、前記第１の情報から前記第２の情報に切り替わり、前記所定の時間が経過した後に前記第２の情報から前記第１の情報に切り替わることを特徴とする請求項１〜４のいずれか１項に記載の多機能時計。
【請求項８】
前記機能指針で表示する情報が３つ以上であり、該情報を全て表示するように、互いに異なる情報に切り替えるための操作ボタンを、切り替える情報の数に対応させて設けたことを特徴とする請求項５〜７のいずれかに１項に記載の多機能時計。
【請求項９】
前記複数の情報は、前記時分秒以外の時刻情報、または時刻以外の付加情報であることを特徴とする請求項１〜８のいずれか１項に記載の多機能時計。
【請求項１０】
前記複数の情報は、曜日を示す情報を含むことを特徴とする請求項９に記載の多機能時計。
【請求項１１】
前記他のモードがカレンダーモードであり、前記複数の情報は、閏年からの経過年を示す情報を含むことを特徴とする請求項９に記載の多機能時計。
【請求項１２】
前記他のモードがアラームモードであり、前記複数の情報は、アラームセット状態を示す情報を含むことを特徴とする請求項９に記載の多機能時計。
【発明の詳細な説明】
【技術分野】
【０００１】
本発明は、時分秒以外の複数の情報を表示する機能針を有する多機能時計に関する。
【背景技術】
【０００２】
従来、時計はその時刻の表示形態として、２本或いは３本の指針によって時刻を表示するアナログ方式と、液晶やＬＥＤに代表される電子光学的表示装置によって時刻を表示するデジタル方式、或いは両者を組み合わせたコンビネーション方式に大別できることは周知である。また、このうちアナログ方式の時計の中でも、例えば秒針やカレンダーの有無、更にはタイマー機能、クロノグラフ機能やアラーム機能、月齢表示機能等に代表される従属的な計時機能の有無を、ユーザがそれぞれの好みに合わせて選択できることも公知である。
【０００３】
このうち、カレンダーの機能としては、小の月の月末に日付の表示をユーザが手動修正する必要のない、所謂パーペチュアルカレンダー機能があり、機械式、或いは時計に内蔵された回路に時刻情報を保持し、回路の内部カウンタによってカレンダー情報を管理するタイプなど、種々の製品が提供されている事も公知である。
【０００４】
また、カレンダーの表示方法としては、円盤状の表示部材である日板、或いは曜板をムーブメントと文字板の間に配設し、文字板の所定箇所に開口部を設けて所定箇所を見せる方法と、通常は時計中心部に配設された、主の時刻情報である時分或いは時分秒を表示する指針以外に、時分秒針より短い指針を配設し、文字板上に形成された表示部をこの指針が指し示す事により表示する方法に大別される。この小針を使用したカレンダー情報の表示方法は、小針そのものがデザイン上の強調ポイントとして利用可能で、他製品との差別化が可能である事から、表示部が円周上に均等に配置されたデザインや、表示部が扇形、所謂レトログラード風に配置されたデザインなど、種々の製品が提供されている。
【０００５】
また、小針を持たないタイプのアナログ時計のカレンダー表示方法としては、通常は主たる時刻情報である時分、或いは秒を表示している指針の表示を、プッシュボタンなどの外部操作によって文字板の特定箇所を表示する事でカレンダー表示を行う仕様が挙げられる。例えば特許文献１は、通常は時分秒を表示する指針を、切替スイッチの動作によってカレンダー表示へと切り替えるアナログ表示の時計が開示されている。この例では、切替スイッチを押す事によって秒針が月を、時分針が重なった状態で年表示を行う仕様となっている。また、非特許文献１では、年、月、日、曜日といったカレンダー情報を、時計中心部に配設された時分秒針以外の専用の小針によってそれぞれ独立して表示する仕様の時計が公開されている。
【０００６】
また、アナログ表示の多機能時計としては、通常の時刻表示以外に付加機能として、例えばアラーム、クロノグラフ、タイマー、通常時刻から所定の時差をオフセットした時刻を表示するローカルタイム表示など各種の機能がある。また、時計の表示仕様としては、これら付加機能を時刻を表示する指針とは別の指針によって表示するタイプと、特定のモードを呼び出した際に、時刻を表示する指針が特定の動きを行う事により、付加機能を操作可能となるタイプに大別可能であり、デザインや付加機能などにより、多種多様な製品が実用化されている。
【０００７】
これらの付加機能を搭載した多機能時計の場合、その操作方法としては、ユーザは外部からの操作によって付加機能を呼び出し、付加機能を選択して使用する仕様となっている場合が多い。ここで、ユーザからの外部操作による操作部材としては、ボタンやリューズが
一般的であるが、最近はベゼルの回転によるモード切替や、触感式のセンサを用いてベゼルの特定箇所を触れる事でモードが切り換わる仕様の時計もある。
【０００８】
【特許文献１】特開２０００−１４７１５７号公報（第３頁、図２）
【非特許文献１】岩本  敏他、「サライＭｏｏｋラピタ・大人の高級腕時計」、小学館、２００３年１２月、ｐ．１４３
【発明の開示】
【発明が解決しようとする課題】
【０００９】
ここで、主たる時刻情報である時分針以外の時刻情報としては、年、月、日付、曜日、午前／午後など、数多くの種類が挙げられる。これらの情報を限られた表示部しか持たない腕時計で同時に表示するには、情報の種類だけ指針が必要となり、結果として表示が煩雑になる。また、これらの時刻情報の中には、非常に長い周期の情報も含まれており、これらの表示の為だけに単独の表示用指針を配設するのは、これらの指針を駆動する為のモータや輪列が必要になり、時計が大きくなる結果となる。例えば年、或いは閏年からの経年を小針で表示する場合、モータや輪列が必要となるにも関わらず、小針自体は年に一度しか駆動しない為、ムーブメントの構造としては効率が悪い。
【００１０】
また、これらのカレンダー情報を全て有した上に、例えばアラームなどの付加機能を有する多機能時計の場合、ユーザが必要なモードを外部操作によって呼び出さないと付加情報が得られないなど、時計の操作としては非常に複雑になる。
【００１１】
本発明はこれらの課題を解決すべく、限られた指針によって多くの情報を容易に表示可能な多機能時計を提供する事が目的である。
【課題を解決するための手段】
【００１２】
上記目的を達成するための本発明は、時及び分を表示する時針及び分針と、時分秒以外の複数の情報を切り替えて表示する機能指針とを有し、前記時針及び分針により現在時刻を表示する時刻表示モードと、該時刻表示モードとは異なる動作をするとともに、前記複数の情報のうちの少なくとも一つの情報を表示する他のモードとに切り替え可能な多機能時計において、前記時刻表示モードにおいて、前記機能指針で表示する情報を切り替えることによって、前記他のモードで表示される情報を表示するようにしたことを特徴とする。
【００１３】
また、前記時刻表示モードにおける前記機能指針で表示する情報の切り替えは、前記時針及び分針による時刻表示の運針を維持したまま行うことを特徴とする。
【００１４】
また、前記複数の情報には周期の異なる複数の時刻情報が含まれており、前記機能指針で表示する情報を切り替えないときには周期の短い時刻情報を表示し、前記機能指針で表示する情報を切り替えることにより周期の長い時刻情報を表示するようにしたことを特徴とする。
【００１５】
また、前記複数の情報には周期の異なる複数の時刻情報が含まれており、前記機能指針で表示する情報を切り替えないときには周期の長い時刻情報を表示し、前記機能指針で表示する情報を切り替えることにより周期の短い時刻情報を表示するようにしたことを特徴とする。
【００１６】
また、前記多機能時計は、前記機能指針で表示する情報を切り替える操作ボタンを有し
、該操作ボタンによって切り替えられる情報は、第１の情報と第２の情報との２つの情報であり、前記操作ボタンを押すことによって前記第１の情報から前記第２の情報に切り替わるとともに、前記操作ボタンを押し続けている間は前記第２の情報が表示され、前記操作ボタンを離すことによって、前記第２の情報から前記第１の情報に切り替わることを特徴とする。
【００１７】
また、前記多機能時計は、前記機能指針で表示する情報を切り替える操作ボタンを有し、該操作ボタンによって切り替えられる情報は、第１の情報と第２の情報との２つの情報であり、前記操作ボタンを押す度に前記第１の情報と前記第２の情報とが交互に切り替わることを特徴とする。
【００１８】
また、前記多機能時計は、前記機能指針で表示する情報を切り替える操作ボタンを有し、該操作ボタンによって切り替えられる情報は、第１の情報と第２の情報との２つの情報であり、前記操作ボタンを押した後の所定の時間だけ、前記第１の情報から前記第２の情報に切り替わり、前記所定の時間が経過した後に前記第２の情報から前記第１の情報に切り替わることを特徴とする。
【００１９】
また、前記機能指針で表示する情報が３つ以上であり、該情報を全て表示するように、互いに異なる情報に切り替えるための操作ボタンを、切り替える情報の数に対応させて設けたことを特徴とする。
【００２０】
また、前記複数の情報は、前記時分秒以外の時刻情報、または時刻以外の付加情報であることを特徴とする。
【００２１】
また、前記複数の情報は、曜日を示す情報を含むことを特徴とする。
【００２２】
また、前記他のモードがカレンダーモードであり、前記複数の情報は、閏年からの経過年を示す情報を含むことを特徴とする。
【００２３】
また、前記他のモードがアラームモードであり、前記複数の情報は、アラームセット状態を示す情報を含むことを特徴とする。
【発明の効果】
【００２４】
以上のように本発明によれば、時刻表示モードにおいて、機能指針の情報を切り替えることによって、他のモードで表示される情報を表示するようにしたため、限られた指針によって複数の時刻情報を表示可能であり、より優先度の高い時刻情報及び付加機能情報を外部操作によってユーザが任意の時期に表示可能な、使い勝手の良いカレンダー付アナログ多機能時計を提供可能となる。
【発明を実施するための最良の形態】
【００２５】
本発明の詳細について、以下図面に基づいて説明する。
【実施例１】
【００２６】
図１〜図５は、本発明の一実施形態の概略図であり、図１は完成時計の平面図、図２はムーブメントを裏側から見た平面図、図３は外部操作部材であるＢボタン１１を押した場合の指針の表示仕様を示す完成時計の平面図、図４は外部操作部材であるＡボタン１０を押した場合の指針の表示状態を示す完成時計の平面図、図５は時計の回路システムのシステム構成図、図６は回路システムの制御フローを示すフローチャートである。
【００２７】
図１〜図４において、１は時刻表示部材である秒針、２は分針、３は時針、４は時針３と
連動し、２４時間で一周する２４時間針、５は文字板、６は文字板５とムーブメントの間に配設された円盤状の部品であり、日付を表示する表示部材である日板、７は曜日を表示する表示部材である曜針、８は時計の機能モードを表示するモード針、９は第一の操作部材であるりゅうず、１０は第二の操作部材であるＡボタン、１１は第三の操作部材であるＢボタンである。
【００２８】
また、図２において、２１は時計ムーブメントの母材である地板、２２は秒針１を駆動する秒モータ、２３は分針２、時針３及び２４時間針４を駆動する時分モータ、２４は曜針７及び日板６を駆動する曜モータ、２５は回路基板、２６は回路基板２５に実装され、時計の計時や時刻表示、或いは各種付加機能の表示を行うＩＣ、２７は回路基板２５を地板２１と挟持する事によって保持する保持部材である回路支持板、２８はその一端がりゅうず９と係合し、りゅうず９の操作をムーブメントの修正機構へ伝達する巻真である。
【００２９】
図１〜４に示す多機能時計は、りゅうず９を通常使用時の０段状態９、１段状態９ａ、２段状態９ｂと、三段階の位置で規制する事が可能である。また、モードは異なる動作をする４モードが存在する多機能時計であり、６時位置に配設されたモード針８によって、時計がどの表示モードになっているかを表示する。４モードの構成は、ＴＭＥが通常時刻表示モード、ＣＡＬがカレンダー表示・修正モード、ＡＬＭがアラームモード、Ｌ−ＴＭがローカルタイムモードを示す。また、モードはりゅうず９を１段位置９ａに引き出してから回転する事によって切り替え、ユーザが所定のモードへ切り替えた後にりゅうず９を２段位置９ｂへ引き出すと共に、りゅうず９の回転及びＡボタン１０、Ｂボタン１１との組み合わせにより、修正などの所定の操作を行う仕様となっている。
【００３０】
モータの構成としては、秒針１を秒モータ２２で、分針２、時針３及び２４時間針４を時分モータ２３で、曜針７及び日板６を曜モータ２４で駆動する３モータ構成である。これにより、３つのモータによって全ての指針及び日板６から構成される時刻表示部材を駆動する事が可能となっている。
【００３１】
表示形態としては、中央部に秒針１、分針２、時針３を、６時位置にモード針８を、１０時位置に２４時間針４を、２時位置に曜針７を有する。また、アラーム機能やローカルタイムを表示する専用の指針を有するのではなく、ユーザがりゅうず９の回転動作によって特定のモードを呼び出した場合は、分針２、時針３及び２４時間針４を所定のモードに対応した表示へと切り替えて表示する事により、指針駆動用モータの数を削減してムーブメントサイズの小型化を図っている。
【００３２】
回路基板２５の、Ａボタン１０とＢボタン１１に対応する外周部には、それぞれサイドスルーホール部２５ａ及び２５ｂが形成されている。また、回路支持板２７の、Ａボタン１０とＢボタン１１に対応する箇所には、それぞれボタン戻しバネ部２７ａ及び２７ｂが形成されている。回路支持板２７は図示しない電池の陽極と導通しており、Ａボタン１０或いはＢボタン１１が押された場合、ボタン戻しバネ部２７ａ或いは２７ｂは、Ａボタン１０或いはＢボタンによってサイドスルーホール部２５ａ或いは２５ｂと当接する。これによりサイドスルーホール部２５ａ或いは２５ｂが電池の陽極と導通する事によりスイッチが入り、ＩＣ２６が入力に応じた所定の動作を行うシステムになっている。また、Ａボタン１０或いはＢボタン１１を離せば、Ａボタン１０或いはＢボタン１１はボタン戻しバネ部２７ａ或いは２７ｂの反力により所定の位置まで戻る。これによりスイッチが切れる構造となっている。
【００３３】
図１において、曜針７は、７つの曜表示領域５ａを略１８０°以下の角度内に全て表記する扇形の表示、いわゆるレトログラード調の表示となっているが、上記扇形の曜表示領域５ａ以外の剰余スペース側に、閏年からの経過年、いわゆる経年表示領域５ｂ、アラーム
がセットされているか否かを示すアラームセット状態表示領域５ｃを配設しているのが特徴である。これにより、経年表示及びアラームセット状態を表示する為の専用の指針を別に配設する事なく、レトログラード調の曜表示領域５ａの剰余領域を有効活用して、曜針７を利用してこれらの情報を単一の指針、即ち曜針７によって表示する事が可能となる。なお、前述したように、曜針７は日板６と連動し、秒針１、分針２、時針３を駆動するモータとは別駆動系統である曜モータ２４によって駆動されるため、曜針７によってアラームセット状態や経年表示を行った場合でも、現在時刻が変更となったり、或いは表示できなくなる事はない。
【００３４】
この多機能時計における、アラームセット状態の確認方法について説明する。
アラームセット状態の確認及び切替、またアラームセット時刻の修正を行う場合、ユーザはりゅうず９を１段位置９ａに引き出した状態で回転して「ＡＬＭ」へとモード針８を移動させ、アラームモードを呼び出す。この場合、分針２、時針３及び２４時間針４が高速運針により、現在時刻表示からアラーム時刻表示へ切り替わり、秒針１が１２時位置に帰零するとともに、曜針７がアラームセット状態表示領域５ｃへと移動する。これにより、曜針７によって現在アラームがセットされているか否かを、分針２、時針３及び２４時間針４によってセットされたアラーム時刻を知る事ができる。りゅうず９を二段位置９ｂまで引き出す事により、アラーム時刻の修正及びアラームセット状態の変更を行う操作仕様となっている。
【００３５】
このように、アラーム時刻の設定確認、修正及びアラームが設定されているか否かの確認を行う場合、ユーザはりゅうず９を９ａに引き出した後にりゅうず９を回転させてアラームモードを呼び出せば、セットされたアラーム時刻及びアラームが設定されているか否かを表示可能である。しかしながら、アラームが設定されているか否かだけをとりあえず確認したい場合でも毎回モードを切り替えるのは、操作が煩雑であるため、この多機能時計は、次に説明するように、機能モードが「ＴＭＥ」、即ち使用者が通常使用する頻度が多い現在時刻表示モードでもアラームの設定状態を確認できるようにしている。
【００３６】
現在時刻表示モードの場合、秒針１、分針２、時針３は現在時刻で１秒運針を行うと共に、曜針７は現在の曜日を曜日表示領域５ａを指し示す事で表示しているが、図３に示す如く、現在時刻表示モード「ＴＭＥ」の状態でＢボタン１１を押せば、Ｂボタン１１のスイッチが導通している間だけ、曜針７が曜日表示領域５ａからアラームセット状態表示領域５ｃへと高速移動し、アラームセット状態、即ちアラームがセットされているか否かを７ｃの如く表示して停止する。ユーザがＢボタン１１から指を離して、Ｂボタン戻しバネ部２７ｂとサイドスルーホール部２５ｂの導通が離れ、スイッチが切れた時点で曜針７は再び高速回転で現在の曜日表示位置７ａへと復帰する。つまり、アラームがセットされているか否かを確認したい場合は、わざわざりゅうず９を引き出して回転する事でアラームモードへと時計を切り替えてセット状態を確認し、その後再び通常時刻表示モードへ再度切り替える操作を行わなくとも、通常時刻表示モードのままで確認する事が可能となる。
【００３７】
本実施例のアナログ多機能時計においては、現在時刻表示モードから外部操作部材であるＢボタン１１の操作によって曜針７をアラームセット状態表示７ｃへと移動し、アラームセット状態確認が可能な仕様を例示したが、例えばＢボタン１１の操作によって、中央部の分針２及び時針３をアラーム設定時刻の表示へと切り替えることにより、アラーム時刻の確認を行う仕様とする事も可能である。しかしながら、本実施例の多機能時計は、中心部の時刻表示部材以外にアラーム時刻表示用の指針を持たない事から、通常時刻表示モードの状態でアラーム設定時刻まで確認する場合は、Ｂボタン１１を押す事で、分針２及び時針３を、現在時刻からアラーム設定時刻へと、高速運針によって切り替える必要があり、高速運針中は現在時刻が判らない。
【００３８】
また、単にアラームセット状態確認が必要な場合でも、毎回分針２及び時針３が高速運針して時刻表示状態を切り替える事になる為、無為に電流を消費する事となる。また、指針の動きが煩雑になる等、却って本来の使い勝手を阻害する場合もある。即ち、アラームモードを持つ多機能時計にも関わらず、現在時刻表示モードで余りにも多岐に渡る指針の動きを取り入れる仕様とした場合、本来のモード針を有する多機能時計の使いやすさが失われ、指針の動き及び操作仕様が煩雑になる為、現在時刻表示モードでのアラームなど、他モードの機能に関する確認としては、通常時刻表示モードの表示内容を阻害しない必要最低限の機能、即ちアラームセット状態の確認のみを行える機能とした方が、製品の使い勝手としては望ましいと考えられる。
【００３９】
次に、経年表示を行う場合の操作方法について以下に説明する。
本実施例の多機能時計は、カレンダー機能に関しては、３１日でない、いわゆる小の月の月末もユーザがカレンダーを手動で修正する事により非存日（例えば４月３１日など）を排除する必要がなく、ＩＣ２６の内部のカレンダーデータにより、自動的に非存日排除を行うパーペチュアルカレンダー機能を具備しており、年及び月についても、指針を用いて表示が可能な仕様となっている。
【００４０】
ユーザがカレンダー情報を手動で修正する場合、まずりゅうず９を一段引き位置９ａまで引き出した後、りゅうず９を回転させてモード針８を「ＣＡＬ」へと移動させてカレンダーモードを呼び出す。この場合、秒針１が月表示を行い、曜針７は現在の曜日を７ａの如く表示し、時針３，分針２，２４時間針４は現在時刻を表示したままである。本実施例の場合は、文字板５上に形成された目盛の特定箇所を秒針１が指し示す事により、秒針１で月表示を行っている。具体的には、秒針１が１時位置で停止すればＩＣ２６内部のカレンダーデータは１月を、２時位置で停止すればＩＣ２６内部のカレンダーデータは２月を意味する。これにより秒針１によって月表示を行う事が可能である。
【００４１】
また、カレンダー表示／修正モード「ＣＡＬ」の状態でＡボタン１０を押せば、押している間だけ曜針７が曜表示領域５ａから経年表示領域５ｂへと高速運針で移動し、経年表示７ｂを行う事により経年の確認が可能な仕様となっている。これにより、経年表示を別の指針で行う事なく、外部操作、具体的にはＡボタン１０によって曜針７の表示内容を切り替える事により、モータ及び表示指針を無為に増やす事なく全てのカレンダー情報を表示する事が可能となる。この状態でりゅうず２を二段位置２ｂへ引く事により、カレンダー情報を修正する。
【００４２】
しかしながら、経年及び月情報といったカレンダー情報を、修正するのではなく、とりあえず確認したいだけの場合でも毎回りゅうず９を一段状態９ａへ引いた後に回転し、モードをカレンダー表示／修正モード「ＣＡＬ」へ切り替えるのは、操作が煩雑であるため、この多機能時計は、現在時刻表示モードでも月を確認できるようにしている。
【００４３】
現在時刻表示モードの場合、秒針１、分針２、時針３は現在時刻で１秒運針を行うと共に、曜針７は現在の曜日を曜日表示領域５ａを指し示す事で表示しているが、図４に示す如く、現在時刻表示モード「ＴＭＥ」の状態でＡボタン１０を押せば、Ａボタン１０のスイッチが導通している間だけ、秒針１が月表示状態１ａへ高速運針で移動して停止すると共に、曜針７が曜日表示領域５ａから経年表示領域５ｂへと高速移動し、７ｂの如く経年を表示して停止する仕様としている。ユーザがＡボタン１０から指を離して、Ａボタン戻しバネ部２７ａとサイドスルーホール部２５ａの導通が離れ、スイッチが切れた時点で曜針７は再び高速回転で現在の曜日表示位置７へと復帰する。即ち、経年だけではなく月を確認したい場合は、わざわざりゅうず９を引き出して回転する事でカレンダー表示／修正モード「ＣＡＬ」へと時計を切り替えて確認し、その後通常時刻表示モードへ再度モード切り替える操作を行わなくとも、通常時刻表示モードのままで確認する事が可能となる。
これにより、現在時刻表示モード「ＴＭＥ」にて、経年、月、日付、曜日、現在時刻といった全ての時刻情報を外部操作によって表示可能となり、毎回モード切替を行う煩雑さが解消される効果がある。
【００４４】
なお、この場合、カレンダー表示／修正モード「ＣＡＬ」は、実質的にはカレンダー情報修正の専用モードとなるが、カレンダー表示／修正モード「ＣＡＬ」でも分針２、時針３、２４時間針４はカレンダー情報の表示として使用しない為、前述のように、現在時刻表示を継続する。従って、カレンダー表示／修正モード「ＣＡＬ」でも、秒針１が現在の月を表示して停止している以外は、分針２及び時針３によって、時分のみの表示時計、所謂２針タイプのカレンダー付時計として使用可能である。
【００４５】
本実施例の多機能時計においては、曜針７が表示する情報には、周期の異なる時刻情報である曜日と経年とが含まれており、現在時刻表示モードで、Ａボタン１０やＢボタン１１を押さないときは、曜針７は、周期の短い情報である曜日を表示し、Ａボタン１０を押すことによって周期の長い時刻情報である経年を表示するようにしているが、これとは逆の順番で時刻情報を表示するようにしてもよい。すなわち、現在時刻表示モードで、Ａボタン１０やＢボタン１１を押さないときは、曜針７が、経年を表示し、Ａボタンを押すことにより曜日を表示するようにしてもよい。
【００４６】
Ａボタン１０を押さないときに曜針７で曜日を表示する場合は、比較的使用頻度の多い情報を表示することができるし、Ａボタン１０を押さないときに曜針７で経年を表示する場合は、曜針７の駆動周期が長くなるため、消費電流を抑えることができる。
【００４７】
次に、本発明の多機能時計の回路システム動作について図面を用いて説明する。図５は本発明の多機能時計の回路ブロック線図である。図５において、スイッチブロック３３は図１におけるＡボタン１０、Ｂボタン１１およびりゅうず９から構成されており、前記Ａ、Ｂ各ボタン１０、１１の入力状態や、前記りゅうず９の通常位置または１段引き状態９ａ、２段状態９ｂ、さらには１段状態９ａでのりゅうず回転等の状態をスイッチ入力制御回路３４で検出しその状態に応じた信号を出力している。水晶振動子を用いた発振回路３１からの出力信号は、分周回路３２で比較的低周波の信号に分周された後、運針制御回路３５を介して秒、曜および時分の各モータの駆動信号を生成する秒モータ駆動信号形成回路３６、曜モータ駆動信号形成回路３７および時分モータ駆動信号形成回路３８に入力される。秒モータ駆動回路３９、曜モータ駆動回路４０および時分モータ駆動回路４１は、各々対応する前記モータ駆動信号形成回路３６、３７あるいは３８から供給される信号に応じて、秒モータ２２、曜モータ２４または時分モータ２３を駆動する。
【００４８】
上述の動作を図６を用いて詳細に説明する。図６は本発明の多機能時計の動作を表すフローチャートである。ステップＳ１から始まって、初めにモードの判別処理を行ない、各モード毎の動作状態に分岐する。まず、カレンダー表示／修正モードである場合にはステップＳ２において認識され、ステップＳ５に移行して現在のカレンダーの表示状態に各指針を移動すると共に、りゅうず９の設定位置および回転状態によってはカレンダー情報の修正動作を行なうなど、カレンダー表示／修正モードとしての処理が実行される。モードがアラームモードであった場合には、ステップＳ２では認識されず次のステップＳ３で判定の結果アラームモードにあるとみなされてステップＳ６に移行し、アラーム設定時刻の表示もしくは修正状態となってアラームモードの処理が行なわれる。同じくローカルタイムモードの場合にはステップＳ４からＳ７に進んでローカルタイムモードの処理が遂行される。
【００４９】
ここで、モードが現在時刻表示モードであった場合を考えてみる。上述の各モードでのモード判定ならびにモード処理と同様に、ステップＳ８における判定の結果、現在時刻表
示モードであるとしてステップＳ９に進む。このステップＳ９から以降のステップＳ１５もしくはステップＳ１７までが現在時刻表示モードの処理となる。
【００５０】
まず、ステップＳ９では今りゅうず９が０段引き位置にあるか否かの判定が行なわれ、０段位置の場合、即ち通常使用状態にある場合には続くステップＳ１０でＢボタン１１の入力状態を検出しており、Ｂボタン１１が押されてＯＮ状態となっている場合には、ステップＳ１１において曜モータ２４を駆動して曜針７をアラームセット状態表示領域５ｃへ移動させ、Ｂボタン１１が押されておらずＯＦＦ状態である場合には、ステップＳ１２に移行して曜モータ２４の駆動により曜針７を曜表示領域５ａへ移動させて現在の曜日位置を指し示す。つまり、通常時刻表示モードの通常使用状態にある時、Ｂボタン１１を押すことによって曜針７によりアラームがセットされているか否かをモニターすることができる。なお、Ｂボタン１１のＯＮもしくはＯＦＦの継続操作により、曜針７が今回表示すべき位置を既に指し示している場合には、曜モータ２４は駆動することはせずそのままの位置を保つ。一方、Ａボタン１０が押されてＯＮ状態となった場合には、ステップＳ１３でこれを検出し、ステップＳ１４で秒モータ２２を駆動して秒針１を月表示状態１ａに移動すると共に、曜モータ２４の駆動により曜針７を移動して経年表示領域５ｂに位置させる。Ａボタン１０が押されていなければステップＳ１６および続くステップＳ１７において秒針１および曜針７は現在の秒および曜位置を指し示すことになる。
【００５１】
次に、ステップＳ１８ではりゅうず９が１段状態９ａにあるかどうかの判定が行なわれるが、前記ステップＳ１５もしくは前記ステップＳ１７から移行した場合はりゅうず９は０段引き位置となっているためステップＳ２１に進み、さらにステップＳ２１では、後述するりゅうず９の２段引き位置での機能つまり修正機能を実行するステップであるため、同様にそのまま通過してステップＳ１の次に戻り、前述のステップＳ２からの処理を繰り返すことになる。
【００５２】
一方りゅうず９が１段状態９ａにある場合には、前記ステップＳ９においてステップＳ１０へは行かず、ステップＳ１８へ進んでりゅうず９が１段状態９ａであることが認識され続くステップＳ１９へと進む。このステップＳ１９ではりゅうず９の回転状態を検出しており、回転量に応じたモードの切り替えを行ない、ステップＳ２０で次に処理するモードの設定を行なった後ステップＳ２へと戻り、以降設定されたモードに応じた処理が実行されることになる。また、りゅうず９が２段引き位置にある場合には、前記ステップＳ９から前記ステップＳ１８へ進むがステップＳ１９には行かずステップＳ２１へと進む。ステップＳ２１では現在時刻表示モードにおいては時刻の修正動作が実行され、りゅうず９の２段引き位置で回転量に応じた修正が行なわれる。
【００５３】
なお、上記は主に通常時刻表示モードでの動作を詳述したが、りゅうず９の１段もしくは２段引き位置での処理の流れは他のモードでも同様であり、カレンダー表示／修正モードではステップＳ５の処理後、アラームモードではステップＳ６の処理後、さらにローカルタイムモードではステップＳ７の処理後、何れの場合でも各モードの処理後はステップＳ１８に移行してりゅうず９の１段状態９ａでの処理、さらにはステップＳ２１に進み各モードにおけるりゅうず９の２段引き位置での動作を行なう。
【００５４】
以上のように、曜日を表示する曜針７を、アラームセット状態を表示する機能針及び経年表示を行う表示針と兼用し、現在時刻表示モード「ＴＭＥ」にて外部操作入力によってその表示を切り替えることにより、時計の文字板５という限られた表示領域内で、なおかつ限られたモータ数によって、複数の時刻情報及び付加情報をモード切替を行う事なく表示可能となる。
【００５５】
本実施例はＡボタン１０及びＢボタン１１の外部操作によって、両ボタンが押されている
間だけ曜針７の表示を切り替える仕様を例示して説明したが、本発明はこれに限定されるものではなく、例えば何れかのボタンが押されてから所定の時間、例えば１０秒間だけ表示を切り替えるという仕様も可能である。また、何れかのボタンを押すごとに、現在時刻表示モード「ＴＭＥ」の表示をユーザが第一の優先情報として選択し、この情報を通常表示へと変更する事も可能である。例えば、現在時刻表示モード「ＴＭＥ」の場合、曜針７は現在の曜日を表示しているが、Ｂボタン１１を押せば、Ｂボタン１１を離しても曜針７はアラームセット表示状態を表示したまま停止状態を維持し、再度Ｂボタン１１を押すと曜針７は経年表示を行ったまま停止し、再度Ｂボタン１１を押せば、曜針７は現在の曜日表示へと復帰して停止するような仕様が挙げられる。即ち、現在時刻表示モードでの曜針７の表示内容をユーザが外部操作により選択可能な仕様となる。
【図面の簡単な説明】
【００５６】
【図１】本発明のアナログ多機能時計の、表示仕様を示す完成時計概略図である。
【図２】本発明のアナログ多機能時計の、ムーブメントを裏蓋側から見た要部平面図である。
【図３】本発明のアナログ多機能時計の、現在時刻表示モード「ＴＭＥ」でＢボタン１１を押した場合の指針の表示仕様を示す完成時計概略図である。
【図４】本発明のアナログ多機能時計の、現在時刻表示モード「ＴＭＥ」でＡボタン１０を押した場合の指針の表示仕様を示す完成時計概略図である。
【図５】本発明の多機能時計の回路ブロック線図である。
【図６】本発明の多機能時計の動作を表すフローチャートである。
【符号の説明】
【００５７】
１  秒針
１ａ  月表示状態
２  分針
３  時針
４  ２４時間針
５  文字板
５ａ  曜日表示領域
５ｂ  経年表示領域
５ｃ  アラームセット状態表示領域
６  日板
７  曜針
７ａ  曜日表示状態
７ｂ  経年表示状態
７ｃ  アラームセット表示状態
８  モード針
９  りゅうず
９ａ  りゅうず１段状態
９ｂ  りゅうず２段状態
１０  Ａボタン
１１  Ｂボタン
２１  地板
２２  秒モータ
２３  時分モータ
２４  曜モータ
２５  回路基板
２５ａ  サイドスルーホール
２５ｂ  サイドスルーホール
２６  ＩＣ
２７  回路支持板
２７ａ  ボタン戻しバネ部
２７ｂ  ボタン戻しバネ部
２８  巻真
３１  発振回路
３２  分周回路
３３  スイッチブロック
３４  スイッチ入力制御回路
３５  運針制御回路
３６  秒モータ駆動信号形成回路
３７  曜モータ駆動信号形成回路
３８  時分モータ駆動信号形成回路
３９  秒モータ駆動回路
４０  曜モータ駆動回路
４１  時分モータ駆動回路
【図１】
2005315669.tif 000003
【図２】
2005315669.tif 000004
【図３】
2005315669.tif 000005
【図４】
2005315669.tif 000006
【図５】
2005315669.tif 000007
【図６】
2005315669.tif 000008